(57)【特許請求の範囲】
【請求項１】
電子源アレイが形成された半導体基板と前記電子源アレイの上部に配置された複数の貫通孔を有するグリッド電極とを備えた電界放出型電子源装置であって、
前記電子源アレイの上部に配置された複数の貫通孔は、電子源アレイから放出される電子ビームの通過経路をなすとともに、
前記電子源アレイの電子源セルの配列数よりも前記貫通孔の配列数が多く、前記電子源アレイの電子源セルの配列ピッチは、前記貫通孔の配列ピッチとほぼ等しい構成とした電界放出型電子源装置。
【請求項２】
前記貫通孔の配列領域は、前記電子源アレイの電子源セルの配列領域を包含するように形成されている請求項１に記載の電界放出型電子源装置。
【請求項３】
前記グリッド電極は、前記貫通孔の配列領域の外側に位置合わせ用貫通孔を有し、前記半導体基板には前記位置合わせ用貫通孔に対応した位置合わせ用マークを有する請求項１に記載の電界放出型電子源装置。
【請求項４】
前記位置合わせ用貫通孔は、前記貫通孔の配列ピッチの整数倍で複数配列された請求項３に記載の電界放出型電子源装置。
【請求項５】
前記位置合わせ用マークは、前記電界放出型電子源アレイの電子源セル配列ピッチの整数倍で複数配列された請求項３に記載の電界放出型電子源装置。
【請求項６】
前記グリッド電極には前記貫通孔の配列領域の外側に位置合わせ用の複数の貫通孔領域を有し、前記半導体基板には前記位置合わせ用貫通孔領域に対応した位置合わせ用マーク領域を有し、前記位置合わせ用貫通孔領域のピッチと前記位置合わせ用マーク領域のピッチとが異なる請求項１に記載の電界放出型電子源装置。
【発明の詳細な説明】
【技術分野】
【０００１】
本発明は、電界放出型電子源を用いた電界放出型電子源装置に関するものである。
【背景技術】
【０００２】
従来の電界放出型電子源を用いた電界放出型電子源装置の一例を図１０に示す。従来の電界放出型電子源装置は、光透過性のガラス部材からなる前面パネル１と、背面パネル２と、側面外囲器３とで構成された真空容器を備える。側面外囲器３と背面パネル２は、例えば高温焼成用のフリットガラス真空封着材４により固着される。一方、側面外囲器３と前面パネル１は、例えば低温封着用にインジウム（Ｉｎ）などの真空封着材５により封着され、真空容器内は真空状態に保たれている。背面パネル２の下部には、余分なガスを吸着することにより内部を高真空状態に保持するためのゲッターポンプ３０が設置されている（例えば、特許文献１参照。）。
【０００３】
背面パネル２の内面上には、電子源アレイ７が設置されている。側面外囲器３の内壁にはグリッド電極１０が設置固定されている。前面パネル１のグリッド電極１０に対向する内面上には、光透過性の陽極電極１１とターゲット１２が形成されている。ターゲット１２は、前面パネル１の上面から入射した光に応じた電荷を蓄積する光電変換膜である。光電変換膜中で発生、蓄積された信号電荷は、ターゲット１２の空間分布として時系列的電気信号として外部に取り出される。
【０００４】
グリッド電極１０は、複数の貫通孔１３が形成され、貫通孔１３は、電子源アレイ７から放出された電子ビームの通過行路となる。グリッド電極１０は、ターゲット１２から放出されるガスによる正イオンや余剰電子による電子源アレイ７の損傷を防護し、電子源アレイの動作安定、低雑音を実現するものである。
【０００５】
グリッド電極と電子源アレイの位置合わせ（アライメント）を行うために、次のようなアライメント装置が知られている。図１１に、そのアライメント装置の斜視図を示す。基板保持ステージ２６には基板２７が設置され、基板保持ステージ２６は、水平、垂直の２軸に可動する微動テーブル２８に、微動テーブル２８は、同じく水平、垂直の２軸の可動する粗動テーブル２９に設置される。粗動テーブル２９には、粗調整後の粗動テーブル２９の位置を固定するブレーキ手段が設置される（図示せず）。粗動テーブル２９はサーボモータによって制御され、微動テーブル２８はピエゾ素子によって制御される（例えば、特許文献２参照。）。
【０００６】
基板２７を目標制御位置に合わせる場合、粗動テーブル２９による粗調整が行われ、その粗調整位置がブレーキ手段により固定される。この粗調整により、概略目標精度近傍へのアライメントが達成される。粗調整ののちに、微動テーブル２８により目標制御位置への微調整が行われる。この構成によれば実質的に１回の粗調整と、１回の微調整の２段階の制御で高精度の位置決めが可能になる。
【特許文献１】特開２０００−４８７４３号公報
【特許文献２】国際公開第０１／０９１５３４号パンフレット
【発明の開示】
【発明が解決しようとする課題】
【０００７】
しかしながら、前記従来の構成では、粗調整と微調整とを組み合わせてそれぞれ一回の調整でアライメントを行うため、粗調整機構はサーボモータにより駆動が必要であり、且つブレーキ手段によってサーボモータの１パルス分の位置ズレを防止する必要があった。すなわち、短い時間でアライメントをおこなうためには、精巧な粗調整機構を必要とするという課題を有していた。
【０００８】
本発明は、前記従来の課題を解決するもので、精巧な粗調整機構を用いることなく機械的な位置決めをした後、微調整を行うことでアライメントできる電界放出型電子源装置を提供することを目的とする。
【課題を解決するための手段】
【０００９】
前記従来の課題を解決するために、本発明の電界放出型電子源装置は、電子源アレイが形成された半導体基板と前記電子源アレイの上部に配置された複数の貫通孔を有するグリッド電極とを備え、前記電子源アレイの上部に配置された複数の貫通孔は、電子源アレイから放出される電子ビームの通過経路をなすとともに、前記電子源アレイの電子源セルの配列数よりも前記貫通孔の配列数が多く、前記電子源アレイの電子源セルの配列ピッチは、前記貫通孔の配列ピッチとほぼ等しい構成としたことを特徴としたものである。
【００１０】
さらに、前記グリッド電極は、前記貫通孔の配列領域の外側に位置合わせ用貫通孔を有し、前記半導体基板には前記位置合わせ用貫通孔に対応した位置合わせ用マークを有することを特徴としたものである。
【００１１】
また、本発明は、前記グリッド電極には前記貫通孔の配列領域の外側に位置合わせ用の複数の貫通孔領域を有し、前記半導体基板には前記位置合わせ用貫通孔領域に対応した位置合わせ用マーク領域を有し、前記位置合わせ用貫通孔領域のピッチと前記位置合わせ用マーク領域のピッチとが異なることを特徴としたものである。
【発明の効果】
【００１２】
本発明の電界放出型電子源装置によれば、精巧な粗調整機構を用いることなく機械的な位置決めをした後、微調整をおこなうことで、グリッド電極と電子源アレイとの位置合わせを高精度に行うことができる。これにより、電界放出型電子源装置のターゲット上での電子ビームの広がりを縮小し、より高解像度の画像表示装置あるいは撮像装置を実現することができる。
【発明を実施するための最良の形態】
【００１３】
以下に、本発明の電界放出型電子源装置の実施の形態を図面とともに説明する。
【００１４】
（実施の形態１）
図１は、本発明の第１の実施の形態における電界放出型電子源装置の断面図を示す。
【００１５】
図１において、光透過性のガラス部材からなる前面パネル１と、背面パネル２と、側面外囲器３とで構成された真空容器を備える。側面外囲器３と背面パネル２は、例えば高温焼成用のフリットガラス真空封着材４により固着される。一方、側面外囲器３と前面パネル１は、インジウム（Ｉｎ）などの真空封着材５およびそれを保持する金属枠６により封着され、真空容器を構成している。
【００１６】
背面パネル２の内面上には、電子源アレイ７が形成された半導体基板８が設置される。半導体基板８上には、スペーサ部９を備えるグリッド電極１０が設置固定される。前面パネル１の電子源アレイ７に対向する内面には、光透過性の陽極電極１１とターゲット１２が形成される。また、前面パネル１、背面パネル２、側面外囲器３で構成される真空容器内部には、余分なガスを吸着するゲッターポンプが設置され（図示せず）、真空容器内を高真空状態に保持している。
【００１７】
半導体基板８の電子源アレイ７は、それぞれが独立して駆動される電子源セルが縦横のマトリクス状に配置される。
【００１８】
グリッド電極１０には、電子ビームを通過させるための複数の貫通孔１３が配置され、貫通孔１３は、グリッド電極１０の厚さ方向に連続した電子ビーム通過行路を備え、その長さは、開口の径より十分に大きいものである。貫通孔１３は、半導体基板８の電子源アレイ７の電子源セル１４に対応するように、同じ配列ピッチで構成され、その配列数は、電子源アレイの配列数よりも貫通孔の配列数が多く形成されている。
【００１９】
図２は、電子源アレイ７およびグリッド電極の上面図およびａ−ａ’位置での断面図を示す。グリッド電極１０は電子源アレイ７の上面に設置される。グリッド電極１０の貫通孔１３の配列領域は、電子源アレイ７の電子源セルの配列領域（図２中の破線で表記。）を包含するように形成される。ａ−ａ’断面図において、グリッド電極１０は、貫通孔１３の配列領域の幅Ａが電子源アレイ７の電子源セルの配列領域の幅Ｂより大きく、電子源アレイ７の電子源セルの配列領域の周辺部に貫通孔のマージン領域Ｃを有している。断面図での説明を省略したが、図２の縦方向の貫通孔１３の配列領域も同様に、電子源アレイ７のセルの配列領域の周辺部に貫通孔のマージン領域を有している。
【００２０】
次に、半導体基板およびグリッド電極の製作方法について説明する。半導体基板は、シリコン（Ｓｉ）からなり、電子源アレイは、ＬＳＩなどの半導体デバイス製造で使用される微細加工技術を用いて製作される。加工基板上にホトリソグラフィを用いて微細な絵レジストパターンを作製し、その後エッチング法により形状加工を行う。この方法により、電子源アレイは、サブミクロンの加工精度で作製できる。グリッド電極はシリコンからなり、電子ビームを通過させる貫通孔は、同様な微細加工技術を用いて製作出来る。この貫通孔も、サブミクロン精度の位置精度で作製できるものである。
【００２１】
本実施の形態１で用いた主要な構成要素の代表的な寸法等は、以下に示す通りとする。電子源アレイは、１インチ型の撮像デバイスに対応するものであって、その解像度はＶＧＡ仕様（水平方向６４０ドットｘ垂直方向４８０ドット）のものを用いた。ひとつの画素に相当する電子源セルの大きさは、縦横いずれも約２０μｍ角となり、その配列ピッチは２０μｍである。電子源アレイにおける電子源セルの配列領域のサイズは、横方向１２．８ｍｍ、縦方向９．６ｍｍである。グリッド電極の電子ビームを通過させる貫通孔の大きさは、１５μｍの略四角形状をしており、その配列ピッチは２０μｍとなる。貫通孔の配列数は、水平方向６６０、垂直方向５００である。貫通孔の外形サイズは、横方向１３．２ｍｍ、縦方向１０．０ｍｍである。
【００２２】
次に図３を用いて本発明の実施の形態１に係る電界放出型電子源装置の組立て手順を説明する。図３は、電界放出型電子源装置の組立て手順の概略（断面図）を示す。図３（a)は、背面パネル２に側面外囲器３を予めフリットガラス真空封着材４で固着したパネル構造材と半導体基板８を組立てる工程、図３（ｂ）は、（ａ）に続き、半導体基板８にグリッド電極１０を取り付ける工程、図３（ｃ）は、（ｂ）に引き続き、インジウム真空封着材５が装着された金属枠６を介して前面パネル１を側面外囲器３の端部に封着する工程、図３（ｄ）は完成状態の電界放出型電子源装置を示す。
【００２３】
ここでは説明を省いたが、図３（ａ）と（ｂ）の間では、電子源アレイ７およびグリッド電極１０に所望の電圧を供給するために、半導体基板８上に形成された配線パターンと背面パネル２上に形成された配線パターンとをワイヤーボンディング等により電気的に接続する工程と、図３（ｃ）では、真空容器内を真空化するための空焼き工程および排気工程、ゲッターポンプを活性化させるゲッターフラッシュ工程がある（いずれも図示せず）。
【００２４】
図４は、本発明の実施の形態１で用いたアライメント装置の構成を示す。固定基盤１５上に微調整が可能な可動テーブル１６が設置され、可動テーブル１６に取り付けられたアームの先端には、上下可動ヘッド１７が設置される。上下可動ヘッド１７の先端には保持器が設置され、保持器の先端には真空吸着機構を備え、グリッド電極１０を保持することができる。また、固定基盤１５上には、固定治具１８および固定治具１８を機械的に位置決めするガイド１９が設置される。固定治具１８の上面には半導体基板８が取り付けられた背面パネル２が保持される。
【００２５】
可動テーブル１６は、水平および垂直の２軸のステージ機能を有し、それぞれ圧電アクチュエータで駆動制御される微動手段を持つ。微動手段の可動範囲３０μｍ、送り精度は１μｍのものを用いた。
【００２６】
固定治具１８を固定基盤１５上にガイド１９に沿って固定した時点では、電子源セルの中心軸と貫通孔の中心軸は一致していない。次に、電子源セルと貫通孔のそれぞれの中心軸が一致するように可動テーブル１６によってグリッド電極の位置が調整される。電子源セルの中心軸と貫通孔の中心軸が一致した時点で、上下可動ヘッド１７によってグリッド電極が半導体基板上に設置、固定される。
【００２７】
従来のような貫通孔の配列数と電子源セルの配列数が同一であるグリッド電極と電子源アレイを用いた場合、貫通孔と電子源セルのマトリクス配列位置を完全に一致させる必要がある。そのため、貫通孔または電子源セルの配列ピッチ以下の高い位置精度で粗調整する機能と、電子源セルと貫通孔のそれぞれの中心軸が一致するように微調整する機能を有するアライメント装置が必要であった。
【００２８】
本実施の形態１によれば、貫通孔の配列数が電子源セルの配列数より多く形成されていることにより貫通孔のマージン領域の範囲で、初期位置決めすればよく、ガイド１９のような機械的な位置決め手段によって容易に初期位置決めすることができる。そのため、従来のような高精度な粗調整機能を有するアライメント装置を用いることなく、高精度な位置決めをすることが可能となる。
（実施の形態２）
図５は、本発明の実施の形態２における半導体基板とグリッド電極電界放出型電子源装置の上面図およびａ−ａ'位置での断面図を示す。実施の形態２における電界放出型電子源装置の基本構成は図１と同じであるので、図による説明は省略する。
【００２９】
グリッド電極１０は、半導体基板８の上に設置される。半導体基板８の上面には電子源アレイ７が設置され、グリッド電極１０には貫通孔１３が設置される。貫通孔１３の配列数は、電子源アレイ７の電子源セルの配列数より多く、貫通孔１３と電子源セルの配列ピッチは同一であり、貫通孔１３の配列領域は、電子源セルの配列領域を包含するように設置されている点は、実施の形態１と同じである。
【００３０】
実施の形態１の構成と異なるところは、グリッド電極１０の貫通孔１３の配列領域の外側に位置合わせ用の貫通孔２０、半導体基板８には位置合わせ用貫通孔２０に対応した位置に位置合わせマーク２１を設けた点である。位置合わせマーク２１は、電子源アレイ７の電子源セルの配列ピッチの整数倍で、電子源セルの縦横の配列方向に平行に配列される。
【００３１】
図５では、位置合わせマーク２１は１２μｍ角の正方形で、電子源セルの配列ピッチの等倍の２０μｍ、縦７列、横７行のマトリクスで配列される。位置合わせ用貫通孔２０の開口形状は１５μｍ角の正方形とした。他の構成要素の代表的な寸法は、実施の形態１と同じである。
【００３２】
組立て手順とアライメント装置についても、実施の形態１で示した図３と図４と同じである。実施の形態１と異なるところは、電子源アレイ７とグリッド電極１０とを位置合わせする工程において、実施の形態１では、電子源アレイ７の電子源セルとグリッド電極１０の貫通孔１３を基準に位置合わせを行ったが、実施の形態２では、位置合わせマーク２１と位置合わせ用貫通孔２０を用いる点である。
【００３３】
固定治具１８を固定基盤１５上にガイドに沿って固定した時点では、位置合わせマーク２１の中心軸と位置合わせ用貫通孔２０の中心軸は一致していない状態である。しかしならが、位置合わせ用貫通孔２０は、位置合わせマーク２１のマトリクス配列の領域に位置するように、固定治具１８がガイドによって機械的に固定される。
【００３４】
次に、位置合わせ用貫通孔２０と最寄りの位置合わせマーク２１との中心軸が一致するように可動テーブル１６によってグリッド電極の位置が調整される。位置合わせ用貫通孔２０の中心軸と位置合わせマーク２１の中心軸が一致した時点で、上下可動ヘッド１７によってグリッド電極が半導体基板上に設置、固定される。
【００３５】
半導体基板８上の位置合わせマーク２１は、電子源アレイ７と同様の半導体製造における微細加工技術を用いて製作できる。そのため、電子源アレイ７の電子源セル配列と位置合わせマーク２１の配列はサブミクロンの位置精度で作製することができる。グリッド電極の位置合わせ用貫通孔２０も、グリッド電極１０と同様の微細加工技術を用いて製作できる。そのため、グリッド電極１０と電子ビームが通過する貫通孔１３の配列と位置合わせ用貫通孔２０も、サブミクロンの位置精度で作製できる。その結果、位置合わせ用貫通孔２０の中心軸と位置合わせマーク２１の中心軸が一致するように位置合わせされたとき、電子源セルの中心軸と貫通孔の中心軸もまた一致する。
【００３６】
ここでは、位置合わせ用貫通孔２０および位置合わせマーク２１は、単純な正方形としたが、たとえば、図６（ｂ）に示すように、位置合わせ用貫通孔２０の孔形状を略四角に凹形状の切り欠き部を設けた形状とし、一方の位置合わせマーク２１は、図６（ａ）に示すように、＋字形状とすることができる。この位置検出マークの認識手段として、ＣＣＤカメラや赤外線カメラ、Ｘ線カメラなどの画像センサーを用いた場合、図６のような位置合わせマークの形状とすることにより位置合わせ精度をより改善することができる。
【００３７】
なお、本実施の形態では、位置検出マークを電子源アレイのセル配置のピッチの同じピッチで配置したが、セル配置のピッチの整数倍であれば同様の効果を得ることができる。
【００３８】
また、以上の説明は、電子源アレイの位置検出マークを複数にしたが、反対にグリッド電極の位置検出マークを複数にする構成をとってもよい。例えば、図７に示すように、グリッド電極１０の貫通孔配列１３が形成された領域の外側に、位置検出用貫通孔２２が電子ビーム通過孔の貫通孔１３の配列のピッチの同じピッチで複数配置され、この位置検出用貫通孔２２が対向する位置の半導体基板８の上面に位置検出用マーク２３が形成される。
（実施の形態３）
図８は、本発明の実施の形態３における電界放出型電子源装置のグリッド電極１０および半導体基板８を模式的に表した正面図および水平断面図（ａ−ａ'位置）を示す。実施の形態３における電界放出型電子源装置の基本構成は図１と同じであるので、図による説明は省略する。
【００３９】
グリッド電極１０は、半導体基板８の上に設置される。半導体基板８の上面には電子源アレイ７が設置され、グリッド電極１０には貫通孔１３が設置される。貫通孔１３の配列数は、電子源アレイの電子源セルの配列数より多く、貫通孔１３と電子源セルの配列ピッチは同一であり、貫通孔１３の配列領域は、電子源セルの配列領域を包含するように設置されている点は、実施の形態１と同じである。
【００４０】
実施の形態２との相違点は、位置合わせ用貫通孔領域２４と位置合わせ用マーク領域２５が水平と垂直方向の２方向に配列される点である。
【００４１】
位置合わせ用貫通孔領域２４は、電子ビームが通過する貫通孔１３のマトリクス配列に平行に、貫通孔１３の外側に水平および垂直方向に配置される。位置合わせ用マーク領域２５は、位置合わせ用貫通孔領域２４に対応した位置に配置される。位置合わせ用貫通孔領域２４は、複数の位置合わせ用貫通孔の配列で構成され、その配列ピッチは一定である。位置合わせ用マーク領域２５は、複数の位置合わせマークの配列で構成され、その配列ピッチも一定である。位置合わせ用貫通孔の配列ピッチと位置合わせマークの配列ピッチは異なっている。
【００４２】
具体的な寸法として、位置合わせ用貫通孔の配列ピッチＰ２は、電子ビーム透過貫通孔の配列ピッチと同じ２０μｍとし、位置合わせ用マークの配列ピッチＰ１は、Ｐ２よりわずかに小さい１９μｍとした。
【００４３】
半導体基板８上の位置合わせマーク領域２５は、半導体製造における微細加工技術を用いて、電子源アレイの形成と同様に製作される。そのため、電子源アレイのセル配置と位置合わせマーク領域２５はサブミクロン精度の十分な位置精度で製作される。同様に、グリッド電極１０の位置合わせ用貫通孔領域２４についても、半導体製造における微細加工技術を用いて、電子ビーム通過の貫通孔１３の形成と同様に製作される。そのため、電子ビーム通過孔の貫通孔１３の配列と位置合わせ用貫通孔領域２４についても十分な位置精度で製作されている。
【００４４】
組立て手順とアライメント装置について、実施の形態１で示した図３と図４と同じである。実施の形態２と異なるところは、電子源アレイ７とグリッド電極１０とを位置合わせする工程において、実施の形態２では、位置合わせマーク２１と位置合わせ用貫通孔２０を用いたが、実施の形態３では、位置合わせマーク領域２５と位置合わせ用貫通孔領域２４を用いる点である。
【００４５】
図９は、位置合わせ用貫通孔領域２４を通して位置合わせ用マーク領域２５を目視あるいはＣＣＤカメラ等の位置認識手段にて観察した波形を示す図である。位置合わせ用マーク領域２５の位置合わせ用マーク配列を正弦波として実線で、位置合わせ用貫通孔領域２４の位置合わせ用貫通孔配列を正弦波として破線で示している。実線の太線は、位置合わせ用貫通孔領域２４を通した位置合わせ用マーク領域２５を観察したとき空間分布を示す。このとき位置合わせ用貫通孔領域２４を通した位置合わせ用マーク領域２５を観察したとき空間分布（実線の太線）は、位置合わせ用貫通孔領域２４、位置合わせ用マーク領域２５の配列ピッチＰ１、Ｐ２よりもはるかに大きな明暗の分布を形成する。所謂、干渉波形を形成する。
【００４６】
本実施の形態によれば、電子源アレイ７とグリッド電極１０を位置合わせする際、位置合わせ用貫通孔領域を通した位置合わせ用マーク領域２５を観測することによって、実施の形態２の位置合わせ用貫通孔あるいは、位置合わせ用マークの配列ピッチよりも十分に大きな分布（干渉波形）の位置の変化として、電子源アレイ７とグリッド電極１０の位置ずれ量を検出することができる。そのため、より高精度な位置検出ができることにより、より高精度な位置合わせが可能となる。
【００４７】
これまでは、１軸方向の位置合わせ用貫通孔領域を通した位置合わせ用マーク領域２５による位置合わせ方法を説明したが、実施の形態３では、位置合わせ用貫通孔領域と位置合わせ用マーク領域２５は、水平および垂直方向に配置されるので、水平および垂直方向の２軸方向について同様に、高精度な位置合わせが可能となるものである。
【００４８】
なお、本実施の形態では、位置合わせ用貫通孔領域２４のピッチＰ２は、電子ビーム透過の貫通孔１３と同じ２０μｍとし、位置合わせ用マーク領域２５のピッチＰ１は１９μｍとしたが、これは目標位置決め精度、認識手段の能力（解像度、拡大倍率）によって適宜選択することができる。
【産業上の利用可能性】
【００４９】
本発明にかかる電界放出型電子源装置では、グリッド電極と電子源アレイを簡易かつ高精度に位置合わせできる機能を有し、電界放出型電子源装置のターゲット上での電子ビームの広がりを縮小することができ、より高解像度の画像表示装置あるいは撮像装置等として有用である。
【図面の簡単な説明】
【００５０】
【図１】本発明の実施の形態１における電界放出型電子源装置の側面の断面図
【図２】本発明の実施の形態１におけるグリッド電極および半導体基板の上面図および断面図
【図３】本発明の実施の形態１における電界放出型電子源装置の組み立て手順を示す図
【図４】本発明の実施の形態１におけるグリッド電極および半導体基板の位置合わせ装置を示す図
【図５】本発明の実施の形態２におけるグリッド電極および半導体基板の上面図および断面図
【図６】本発明の実施の形態２における位置合わせ用マークおよび位置合わせ用貫通孔形状を示す図
【図７】本発明の実施の形態２におけるグリッド電極および半導体基板の上面図および断面図
【図８】本発明の実施の形態３におけるグリッド電極および半導体基板の上面図および断面図
【図９】本発明の実施の形態３における位置合わせ用貫通孔領域を通して位置合わせ用マーク領域を観察した図
【図１０】従来の電界放出型電子源装置の側面の断面図
【図１１】従来のアライメント装置を示す図
【符号の説明】
【００５１】
１  前面パネル
２  背面パネル
３  側面外囲器
４  フリットガラス真空封着材
５  インジウム真空封着材
６  金属枠
７  電子源アレイ
８  半導体基板
９  スペーサ部
１０  グリッド電極
１１  陽極電極
１２  ターゲット
１３  貫通孔
１４  電子源セル
１５  固定基盤
１６  可動テーブル
１７  上下可動ヘッド
１８  固定治具
１９  ガイド
２０  位置合わせ用貫通孔
２１  位置合わせ用マーク
２２  位置合わせ用貫通孔
２３  位置合わせ用マーク
２４  位置検出用貫通孔領域
２５  位置合わせ用マーク領域
２８  微動テーブル
２６  基板保持ステージ
２７  基板
２９  粗動テーブル
３０  ゲッターポンプ
【図１】
0005211664.tif 000002
【図２】
0005211664.tif 000003
【図３】
0005211664.tif 000004
【図４】
0005211664.tif 000005
【図５】
0005211664.tif 000006
【図６】
0005211664.tif 000007
【図７】
0005211664.tif 000008
【図８】
0005211664.tif 000009
【図９】
0005211664.tif 000010
【図１０】
0005211664.tif 000011
【図１１】
0005211664.tif 000012